(57)【特許請求の範囲】
【請求項１】
ゴルフボールを打撃するための打撃側から見て、少なくとも、両側面、正面、天井面
をネットで覆ったゴルフ練習場であって、
前記ネット内に農地が位置し、前記農地の上方を覆うと共に、前記正面から前記打撃
側に向かって張設したカバーを設け、
前記カバーの下方を前記農地、
前記カバーの上方をゴルフボールを打撃する空間として利用するものであり、
前記カバーは昇降自在に設けられている
ことを特徴とするゴルフ練習場。
【請求項２】
ゴルフボールを打撃するための打撃側から見て、少なくとも、両側面、正面をネット
で覆ったゴルフ練習場であって、
前記ネット内に農地が位置し、前記農地の上方を覆うと共に、前記正面から前記打撃
側に向かって張設したカバーを設け、
前記カバーの下方を前記農地、
前記カバーの上方をゴルフボールを打撃する空間として利用するものであり、
前記カバーは昇降自在に設けられている
ことを特徴とするゴルフ練習場。
【請求項３】
ゴルフボールを打撃するための打撃側から見て、背面、両側面、正面、天井面をネッ
トで覆ったゴルフ練習場であって、
前記ネット内に農地が位置し、前記農地の上方を覆うと共に、前記正面から前記打撃
側に向かって張設したカバーを設け、
前記カバーの下方を農地、
前記カバーの上方をゴルフボールを打撃する空間として利用するものであり、
前記カバーは昇降自在に設けられている
ことを特徴とするゴルフ練習場。
【請求項４】
ゴルフボールを打撃するための打撃側から見て、少なくとも、両側面、正面、天井面
をネットで覆ったゴルフ練習場であって、
前記ネット内に農地が位置し、前記農地の上方を覆うと共に、前記正面から前記打撃
側に向かって張設したカバーを設け、
前記カバーの下方を前記農地、
前記カバーの上方をゴルフボールを打撃する空間として利用するものであり、
前記カバーは昇降自在に設けられ、
前記ゴルフボールの集球時、少なくとも、前記カバーは前記カバー上の前記ゴルフボールが転がるように、地面に対して傾斜するように形成されている
ことを特徴とするゴルフ練習場。
【請求項５】
ゴルフボールを打撃するための打撃側から見て、少なくとも、両側面、正面をネット
で覆ったゴルフ練習場であって、
前記ネット内に農地が位置し、前記農地の上方を覆うと共に、前記正面から前記打撃
側に向かって張設したカバーを設け、
前記カバーの下方を前記農地、
前記カバーの上方をゴルフボールを打撃する空間として利用するものであり、
前記カバーは昇降自在に設けられ、
前記ゴルフボールの集球時、少なくとも、前記カバーは前記カバー上の前記ゴルフボールが転がるように、地面に対して傾斜するように形成されている
ことを特徴とするゴルフ練習場。
【請求項６】
ゴルフボールを打撃するための打撃側から見て、背面、両側面、正面、天井面をネッ
トで覆ったゴルフ練習場であって、
前記ネット内に農地が位置し、前記農地の上方を覆うと共に、前記正面から前記打撃
側に向かって張設したカバーを設け、
前記カバーの下方を農地、
前記カバーの上方をゴルフボールを打撃する空間として利用するものであり、
前記カバーは昇降自在に設けられ、
前記ゴルフボールの集球時、少なくとも、前記カバーは前記カバー上の前記ゴルフボールが転がるように、地面に対して傾斜するように形成されている
ことを特徴とするゴルフ練習場。
【請求項７】
農地には、天然の芝生が設けられ、カバーは網の目を有するネットで形成されている
ことを特徴とする請求項１又は請求項２又は請求項３又は請求項４又は請求項５又は請求項６記載のゴルフ練習場。
【請求項８】
ネットに、農地への人の出入りを許容する出入り口を設けている
ことを特徴とする請求項１又は請求項２又は請求項３又は請求項４又は請求項５又は
請求項６又は請求項７記載のゴルフ練習場。
【請求項９】
カバーはネットの両側面及び正面に接続されると共に、昇降自在に設けられ、
前記カバーの上昇に伴い、前記ネットの両側面及び正面に、農地への人の出入りを許
容する空間である出入り口が形成される
ことを特徴とする請求項１又は請求項２又は請求項３又は請求項４又は請求項５又は
請求項６又は請求項７記載のゴルフ練習場。
【請求項１０】
複数の打席の前方にそれぞれ配置されて各打席めがけてボールを投げる複数のピッチ
ングマシンとを備えると共に、前記ボールを打撃するための打撃側から見て、少なくとも
、両側面、正面、背面をネットで覆ったバッティングセンターであって、
前記ネット内に農地が位置し、前記農地の上方を覆うと共に、前記正面から前記背面
に向かって張設したカバーを設け、
前記カバーの下方を前記農地、
前記カバーの上方を前記ボールを打撃する空間として利用するものであり、
前記カバーは昇降自在に設けられている
ことを特徴とするバッティングセンター。
【請求項１１】
複数の打席の前方にそれぞれ配置されて各打席めがけてボールを投げる複数のピッチ
ングマシンとを備えると共に、前記ボールを打撃するための打撃側から見て、背面、両側
面、正面、天井面をネットで覆ったバッティングセンターであって、
前記ネット内に農地が位置し、前記農地の上方を覆うと共に、前記正面から前記打撃
台に向かって張設したカバーを設け、
前記カバーの下方を前記農地、
前記カバーの上方を前記ボールを打撃する空間として利用するものであり、
前記カバーは昇降自在に設けられている
ことを特徴とするバッティングセンター。
【請求項１２】
複数の打席の前方にそれぞれ配置されて各打席めがけてボールを投げる複数のピッチ
ングマシンとを備えると共に、前記ボールを打撃するための打撃側から見て、少なくとも
、両側面、正面、背面をネットで覆ったバッティングセンターであって、
前記ネット内に農地が位置し、前記農地の上方を覆うと共に、前記正面から前記背面
に向かって張設したカバーを設け、
前記カバーの下方を前記農地、
前記カバーの上方を前記ボールを打撃する空間として利用するものであり、
前記カバーは昇降自在に設けられ、
前記ボールの集球時、少なくとも、前記カバーは前記カバー上の前記ボールが転がるように、地面に対して傾斜するように形成されている
ことを特徴とするバッティングセンター。
【請求項１３】
複数の打席の前方にそれぞれ配置されて各打席めがけてボールを投げる複数のピッチ
ングマシンとを備えると共に、前記ボールを打撃するための打撃側から見て、背面、両側
面、正面、天井面をネットで覆ったバッティングセンターであって、
前記ネット内に農地が位置し、前記農地の上方を覆うと共に、前記正面から前記打撃
台に向かって張設したカバーを設け、
前記カバーの下方を前記農地、
前記カバーの上方を前記ボールを打撃する空間として利用するものであり、
前記カバーは昇降自在に設けられ、
前記ボールの集球時、少なくとも、前記カバーは前記カバー上の前記ボールが転がるように、地面に対して傾斜するように形成されている
ことを特徴とするバッティングセンター。
【請求項１４】
農地には、天然の芝生が設けられ、カバーは網の目を有するネットで形成されている
ことを特徴とする請求項１０又は請求項１１又は請求項１２又は請求項１３記載のバッティングセンター。
【請求項１５】
ネットに、農地への人の出入りを許容する出入り口を設けている
ことを特徴とする請求項１０又は請求項１１又は請求項１２又は請求項１３記載のバッティングセンター。
【請求項１６】
カバーはネットの両側面及び正面に接続されると共に、昇降自在に設けられ、
前記カバーの上昇に伴い、前記ネットの両側面及び正面に、農地への人の出入りを許
容する空間である出入り口が形成される
ことを特徴とする請求項１０又は請求項１１又は請求項１２又は請求項１３記載のバッティングセンター。
【発明の詳細な説明】
【技術分野】
【０００１】
本発明は、ゴルフ練習場及びバッティングセンターに係り、特に、農地を利用したゴルフ練習場及びバッティングセンターに関する。
【背景技術】
【０００２】
一般に、ゴルフ練習場、バッティングセンターにあっては、ボールの飛距離、飛球方向等のために、ある程度の広さが求められる。
また、鉄道線路や鉄道用車庫等の鉄道施設の上方を横断させて梁を複数架設し、この梁間に多孔性部材を張設して人工地盤を構築し、この人工地盤上にゴルフコースや打撃用スペース等の練習施設を設けた鉄道線路上のゴルフ練習施設がある（特許文献１参照）。
【先行技術文献】
【特許文献】
【０００３】
【特許文献１】実用新案登録第２５４３８７７号公報
【発明の概要】
【発明が解決しようとする課題】
【０００４】
しかし、上記の鉄道線路上のゴルフ練習施設のように、人工地盤を構築するとなると、多額の費用を伴うという問題点が生じる。
【０００５】
本発明は、上記の問題点を考慮してなされたカバーを用いたゴルフ練習場及びバッティングセンターを提供することを目的とする。
【課題を解決するための手段】
【０００６】
請求項１記載のゴルフ練習場は、ゴルフボールを打撃するための打撃側から見て、少なくとも、両側面、正面、天井面をネットで覆ったゴルフ練習場であって、前記ネット内に農地が位置し、前記農地の上方を覆うと共に、前記正面から前記打撃側に向かって張設したカバーを設け、前記カバーの下方を前記農地、前記カバーの上方をゴルフボールを打撃する空間として利用するものであり、前記カバーは昇降自在に設けられているものである。
【０００７】
また、請求項２記載のゴルフ練習場は、ゴルフボールを打撃するための打撃側から見て、少なくとも、両側面、正面をネットで覆ったゴルフ練習場であって、前記ネット内に農地が位置し、前記農地の上方を覆うと共に、前記正面から前記打撃側に向かって張設したカバーを設け、前記カバーの下方を前記農地、前記カバーの上方をゴルフボールを打撃する空間として利用するものであり、前記カバーは昇降自在に設けられているものである。
【０００８】
また、請求項３記載のゴルフ練習場は、ゴルフボールを打撃するための打撃側から見て、背面、両側面、正面、天井面をネットで覆ったゴルフ練習場であって、前記ネット内に農地が位置し、前記農地の上方を覆うと共に、前記正面から前記打撃側に向かって張設したカバーを設け、前記カバーの下方を農地、前記カバーの上方をゴルフボールを打撃する空間として利用するものであり、前記カバーは昇降自在に設けられているものである。
【０００９】
また、請求項４記載のゴルフ練習場は、ゴルフボールを打撃するための打撃側から見て、少なくとも、両側面、正面、天井面をネットで覆ったゴルフ練習場であって、前記ネット内に農地が位置し、前記農地の上方を覆うと共に、前記正面から前記打撃側に向かって張設したカバーを設け、前記カバーの下方を前記農地、前記カバーの上方をゴルフボールを打撃する空間として利用するものであり、前記カバーは昇降自在に設けられ、前記ゴルフボールの集球時、少なくとも、前記カバーは前記カバー上の前記ゴルフボールが転がるように、地面に対して傾斜するように形成されているものである。
【００１０】
また、請求項５記載のゴルフ練習場は、ゴルフボールを打撃するための打撃側から見て、少なくとも、両側面、正面をネットで覆ったゴルフ練習場であって、前記ネット内に農地が位置し、前記農地の上方を覆うと共に、前記正面から前記打撃側に向かって張設したカバーを設け、前記カバーの下方を前記農地、前記カバーの上方をゴルフボールを打撃する空間として利用するものであり、前記カバーは昇降自在に設けられ、前記ゴルフボールの集球時、少なくとも、前記カバーは前記カバー上の前記ゴルフボールが転がるように、地面に対して傾斜するように形成されているものである。
【００１１】
また、請求項６記載のゴルフ練習場は、ゴルフボールを打撃するための打撃側から見て、背面、両側面、正面、天井面をネットで覆ったゴルフ練習場であって、前記ネット内に農地が位置し、前記農地の上方を覆うと共に、前記正面から前記打撃側に向かって張設したカバーを設け、前記カバーの下方を農地、前記カバーの上方をゴルフボールを打撃する空間として利用するものであり、前記カバーは昇降自在に設けられ、前記ゴルフボールの集球時、少なくとも、前記カバーは前記カバー上の前記ゴルフボールが転がるように、地面に対して傾斜するように形成されているものである。
【００１２】
また、請求項７記載のゴルフ練習場は、請求項１又は請求項２又は請求項３又は請求項４又は請求項５又は請求項６記載のゴルフ練習場において、農地には、天然の芝生が設けられ、カバーは網の目を有するネットで形成されているものである。
【００１３】
また、請求項８記載のゴルフ練習場は、請求項１又は請求項２又は請求項３又は請求項４又は請求項５又は請求項６又は請求項７記載のゴルフ練習場において、ネットに、農地への人の出入りを許容する出入り口を設けているものである。
【００１４】
また、請求項９記載のゴルフ練習場は、請求項１又は請求項２又は請求項３又は請求項４又は請求項５又は請求項６又は請求項７記載のゴルフ練習場において、カバーはネットの両側面及び正面に接続されると共に、昇降自在に設けられ、前記カバーの上昇に伴い、前記ネットの両側面及び正面に、農地への人の出入りを許容する空間である出入り口が形成されるものである。
【００１５】
また、請求項１０記載のバッティングセンターは、複数の打席の前方にそれぞれ配置されて各打席めがけてボールを投げる複数のピッチングマシンとを備えると共に、前記ボールを打撃するための打撃側から見て、少なくとも、両側面、正面、背面をネットで覆ったバッティングセンターであって、前記ネット内に農地が位置し、前記農地の上方を覆うと共に、前記正面から前記背面に向かって張設したカバーを設け、前記カバーの下方を前記農地、前記カバーの上方を前記ボールを打撃する空間として利用するものであり、前記カバーは昇降自在に設けられているものである。
【００１６】
また、請求項１１記載のバッティングセンターは、複数の打席の前方にそれぞれ配置されて各打席めがけてボールを投げる複数のピッチングマシンとを備えると共に、前記ボールを打撃するための打撃側から見て、背面、両側面、正面、天井面をネットで覆ったバッティングセンターであって、前記ネット内に農地が位置し、前記農地の上方を覆うと共に、前記正面から前記打撃台に向かって張設したカバーを設け、前記カバーの下方を前記農地、前記カバーの上方を前記ボールを打撃する空間として利用するものであり、前記カバーは昇降自在に設けられているものである。
【００１７】
また、請求項１２記載のバッティングセンターは、複数の打席の前方にそれぞれ配置されて各打席めがけてボールを投げる複数のピッチングマシンとを備えると共に、前記ボールを打撃するための打撃側から見て、少なくとも、両側面、正面、背面をネットで覆ったバッティングセンターであって、前記ネット内に農地が位置し、前記農地の上方を覆うと共に、前記正面から前記背面に向かって張設したカバーを設け、前記カバーの下方を前記農地、前記カバーの上方を前記ボールを打撃する空間として利用するものであり、前記カバーは昇降自在に設けられ、前記ボールの集球時、少なくとも、前記カバーは前記カバー上の前記ボールが転がるように、地面に対して傾斜するように形成されているものである。
【００１８】
また、請求項１３記載のバッティングセンターは、複数の打席の前方にそれぞれ配置されて各打席めがけてボールを投げる複数のピッチングマシンとを備えると共に、前記ボールを打撃するための打撃側から見て、背面、両側面、正面、天井面をネットで覆ったバッティングセンターであって、前記ネット内に農地が位置し、前記農地の上方を覆うと共に、前記正面から前記打撃台に向かって張設したカバーを設け、前記カバーの下方を前記農地、前記カバーの上方を前記ボールを打撃する空間として利用するものであり、前記カバーは昇降自在に設けられ、前記ボールの集球時、少なくとも、前記カバーは前記カバー上の前記ボールが転がるように、地面に対して傾斜するように形成されているものである。
【００１９】
また、請求項１４記載のバッティングセンターは、請求項１０又は請求項１１又は請求項１２又は請求項１３記載のバッティングセンターにおいて、農地には、天然の芝生が設けられ、カバーは網の目を有するネットで形成されているものである。
【００２０】
また、請求項１５記載のバッティングセンターは、請求項１０又は請求項１１又は請求項１２又は請求項１３記載のバッティングセンターにおいて、ネットに、農地への人の出入りを許容する出入り口を設けているものである。
また、請求項１６記載のバッティングセンターは、請求項１０又は請求項１１又は請求項１２又は請求項１３記載のバッティングセンターにおいて、カバーはネットの両側面及び正面に接続されると共に、昇降自在に設けられ、前記カバーの上昇に伴い、前記ネットの両側面及び正面に、農地への人の出入りを許容する空間である出入り口が形成されるものである。
【発明の効果】
【００２１】
請求項１記載のゴルフ練習場によれば、ネット内の農地の上方を覆うと共に、正面から打撃側に向かって張設したカバーを設けたため、カバーの下方を農地、カバーの上方をゴルフボールを打撃する空間として利用することができる。
【００２２】
また、請求項２記載のゴルフ練習場によれば、ネット内の農地の上方を覆うと共に、正面から打撃側に向かって張設したカバーを設けたため、カバーの下方を農地、カバーの上方をゴルフボールを打撃する空間として利用することができる。
【００２３】
また、請求項３記載のゴルフ練習場によれば、農地の上方を覆うと共に、正面から背面（打撃側）に向かって張設したカバーを設けたため、カバーの下方を農地、カバーの上方をゴルフボールを打撃する空間として利用することができ、しかも、背面、両側面、正面、天井面をネットで覆ったゴルフ練習場であって、カバーの下方にある農地の周囲をもネットで覆うため、ゴルフボールのゴルフ練習場の外への飛散を防ぐことは勿論のこと、農地への動物の侵入をも防いで、農地で栽培する植物の保護を図ることができる。
【００２４】
また、請求項１、２、３記載のゴルフ練習場によれば、カバーは昇降自在に設けられているため、カバーの上方をゴルフボールを打撃する空間として利用できるように、低い位置に移動させることができ、また、カバーが低い位置のままであると農作業に支障を来す場合がある。かかる場合、カバーを高い位置に移動させて、農作業に支障を生じないようにすることができる。
【００２５】
また、請求項４、５、６記載のゴルフ練習場によれば、カバーは昇降自在に設けられ、ゴルフボールの集球時、少なくとも、前記カバーは前記カバー上の前記ゴルフボールが転がるように、地面に対して傾斜するように形成されているため、カバー上に落下したゴルフボールを集め易くすることができる。
【００２６】
また、請求項７記載のゴルフ練習場によれば、上述した請求項１又は請求項２又は請
求項３又は請求項４又は請求項５又は請求項６記載の発明の効果に加え、農地には、天然の芝生が設けられ、カバーは網の目を有するネットで形成されているため、ネットの網を介して天然の芝生を視認でき、フェアウェイの臨場感で練習することができ、また、農地の天然の芝生は、ネットの網を介して透光性と透水性が得られ、天然の芝生を育成でき、育成後、「天然の芝生」として、商取引することができる。
【００２７】
また、請求項８記載のゴルフ練習場によれば、上述した請求項１又は請求項２又は請
求項３又は請求項４又は請求項５又は請求項６又は請求項７記載の発明の効果に加え、ネットに、農地への人の出入りを許容する出入り口を設けているため、出入り口を介して、農地内へ入って、農地作業を行うことができる。
【００２８】
また、請求項９記載のゴルフ練習場によれば、上述した請求項１又は請求項２又は請
求項３又は請求項４又は請求項５又は請求項６又は請求項７記載の発明の効果に加え、前記カバーの上昇に伴い、ネットの両側面及び正面に、農地への人の出入りを許容する空間である出入り口が形成されるため、出入り口を介して、農地内へ入って、農地作業を行うことができ、しかも、カバーはネットの両側面及び正面に接続されるため、カバーとネットとの両側面及び正面との間にゴルフボールが入る隙間がないため、ゴルフボールが農地に入るのを防ぐことができる。
【００２９】
また、請求項１０記載のバッティングセンターによれば、農地の上方を覆うと共に、正面から背面に向かって張設したカバーを設けたため、カバーの下方を農地、カバーの上方をボールを打撃する空間として利用することができ、しかも、ボールを打撃するための打撃側から見て、少なくとも、両側面、正面、背面をネットで覆ったバッティングセンターであって、カバーの下方にある農地の周囲をもネットで覆うため、ボールのバッティングセンターの外への飛散を防ぐことは勿論のこと、農地への動物の侵入をも防いで、農地で栽培する植物の保護を図ることができる。
【００３０】
また、請求項１１記載のバッティングセンターによれば、農地の上方を覆うと共に、
正面から背面（打撃側）に向かって張設したカバーを設けたため、カバーの下方を農地、
カバーの上方をボールを打撃する空間として利用することができ、しかも、背面、両側面
、正面、天井面をネットで覆ったバッティングセンターであって、カバーの下方にある農
地の周囲をもネットで覆うため、ボールのバッティングセンターの外への飛散を防ぐこと
は勿論のこと、農地への動物の侵入をも防いで、農地で栽培する植物の保護を図ることが
できる。
【００３１】
また、請求項１０、１１記載のバッティングセンターによれば、上述した請求項１０又は請求項１１記載の発明の効果に加え、カバーは昇降自在に設けられているため、カバーの上方をボールを打撃する空間として利用できるように、低い位置に移動させることができ、また、カバーが低い位置のままであると農作業に支障を来す場合がある。かかる場合、カバーを高い位置に移動させて、農作業に支障を生じないようにすることができる。
【００３２】
また、請求項１２、１３記載のバッティングセンターによれば、カバーは昇降自在に設けられ、ボールの集球時、少なくとも、前記カバーは前記カバー上の前記ボールが転がるように、地面に対して傾斜するように形成されているため、カバー上に落下したボールを集め易くすることができる。
【００３３】
また、請求項１４記載のバッティングセンターによれば、上述した請求項１０又は請求項１１又は請求項１２又は請求項１３記載の発明の効果に加え、農地には、天然の芝生が設けられ、カバーは網の目を有するネットで形成されているため、ネットの網を介して天然の芝生を視認でき、芝生のグラウンドの臨場感で練習することができ、また、農地の天然の芝生は、ネットの網を介して透光性と透水性が得られ、天然の芝生を育成でき、育成後、「天然の芝生」として、商取引することができる。
【００３４】
また、請求項１５記載のバッティングセンターによれば、上述した請求項１０又は請求項１１又は請求項１２又は請求項１３記載の発明の効果に加え、ネットに、農地への人の出入りを許容する出入り口を設けているため、出入り口を介して、農地内へ入って、農地作業を行うことができる。
【００３５】
また、請求項１６記載のバッティングセンターによれば、上述した請求項１０又は請求項１１又は請求項１２又は請求項１３記載の発明の効果に加え、前記カバーの上昇に伴い、ネットの両側面及び正面に、農地への人の出入りを許容する空間である出入り口が形成されるため、出入り口を介して、農地内へ入って、農地作業を行うことができ、しかも、カバーはネットの両側面及び正面に接続されるため、カバーとネットとの両側面及び正面との間にボールが入る隙間がないため、ボールが農地に入るのを防ぐことができる。
【図面の簡単な説明】
【００３６】
【図１】図１は、本発明の一実施例のゴルフ練習場の概略的平面図である。
【図２】図２は、図１の概略的側面図である。
【図３】図３は、図２のカバーを昇降させる状態を示す概略的側面図である。
【図４】図４は、図２のカバーを上昇させた状態を示す概略的側面図である。
【図５】図５は、図２のカバーと異なる他の実施例のカバーを用いた状態を示す概略的側面図である。
【図６】図６は、図５のカバーを上昇させた状態を示す概略的側面図である。
【発明を実施するための形態】
【００３７】
本発明の一実施例のゴルフ練習場を図面（図１乃至図４）を参照して説明する。
図１に示すＧはゴルフ練習場、図３に示す１は地面２より高いゴルフボールを打撃するための打撃台である。
ゴルフ練習場Ｇは、周囲をネットＮで覆われている。具体的には、打撃台１から見て、背面、両側面、正面、天井面をネットＮで覆われている。
Ｎ１は背面側ネット、Ｎ２は右側面側ネット、Ｎ３は左側面側ネット、Ｎ４は正面側側ネット、Ｎ５は天井面側ネットである。なお、図１に示す１０は、ネットＮを支える柱である。
【００３８】
また、図１に示す３はネットＮ内に位置する農地で、４は農地３の上方を覆うと共に、前記正面から打撃側（打撃台１、背面）に向かって張設したカバーである。
カバー４の下方は農地３、カバー４の上方はゴルフボールを打撃する空間として利用することができる。
【００３９】
従って、上述したゴルフ練習場Ｇによれば、農地３の上方を覆うと共に、正面から打撃側（打撃台１、背面）に向かって張設したカバー４を設けたため、カバー４の下方を農地３、カバー４の上方をゴルフボールを打撃する空間として利用することができ、しかも、背面、両側面、正面、天井面をネットＮで覆ったゴルフ練習場Ｇであって、カバー４の下方にある農地３の周囲をもネットＮで覆うため、ゴルフボールのゴルフ練習場Ｇの外への飛散を防ぐことは勿論のこと、農地３への動物の侵入をも防いで、農地３で栽培する植物の保護を図ることができる。
【００４０】
なお、上述した実施例においては、農地３の周囲全体をネットＮで覆ったが、場合により、背面側ネットＮ１、右側面側ネットＮ２、左側面側ネットＮ３、正面側ネットＮ４、天井面側ネットＮ５の内、背面側ネットＮ１を省略しても良い。つまり、ゴルフボールを打撃するための打撃側から見て、少なくとも、両側面、正面、天井面をネットで覆ったゴルフ練習場であっても良い。この場合においても、ネットＮ内の農地３の上方を覆うと共に、正面から打撃台１に向かって張設したカバー４を設けたため、カバー４の下方を農地３、カバー４の上方をゴルフボールを打撃する空間として利用することができる。
なお、背面側ネットＮ１、右側面側ネットＮ２、左側面側ネットＮ３、正面側ネットＮ４、天井面側ネットＮ５の内、背面側ネットＮ１を省略しても良いとしたが、場合により、天井面側ネットＮ５は、天井全体ではなく、打撃台１に近い側をネットで覆い、正面側ネットＮ４に近い側をネットで覆わないように、天井面を部分的に覆うようにしても良いし、場合により、天井面をネットで覆わないようにしても良い。
即ち、ゴルフボールを打撃するための打撃側（打撃台１、背面）から見て、少なくとも、両側面、正面をネットＮで覆ったゴルフ練習場Ｇであれば良い。
【００４１】
また、上述したカバー４は固定でも良いが、昇降自在に設けられているのが良い。
これは、カバー４の上方をゴルフボールを打撃する空間として利用できるように、低い位置に移動させる（図３参照）ことができ、
また、カバー４が低い位置のままであると、農作業に支障を来す場合がある。かかる場合、カバー４を高い位置に移動させて（図４参照）、農作業に支障を生じないようにすることができるようにするためである。
また、カバー４は昇降自在に設けられていると、ゴルフボールの集球時、少なくとも、カバー４はカバー４上のゴルフボール（図示せず）が転がるように、地面２に対して傾斜するように形成することができる。例えば、図２に示すように、カバー４を打撃側（打撃台１、背面）に向かって下り勾配の傾斜面に形成することにより、カバー４上に落下したゴルフボール（図示せず）を集め易くすることができる。
カバー４を昇降自在な手段としては、例えば、カバー４を吊り下げるロープ４１、４１’、ロープ４１、４１’の方向を変える滑車４２、４２’、ロープ４１、４１’を回転ハンドルまたは原動機の回転力を歯車装置などで減速して回転させるドラムでロープなどを巻き取るウインチＷ、Ｗ’で行うようにしている。
【００４２】
また、上述した農地３には、例えば、天然の芝生を植え、カバー４を「網の目を有するネット」を用いて、天然の芝生を覆うようにすれば、カバー４の網を介して天然の芝生を視認でき、フェアウェイの臨場感で練習することができ、また、農地３の天然の芝生は、ネットＮの網を介して透光性と透水性が得られ、天然の芝生を育成でき、育成後「天然の芝生」として、商取引することができる。
なお、カバー４は網の目を有するネットとしたが、例えば、キノコを栽培する場合には、カバー４は光及び雨水を通過させない部材で形成するようにしても良い。
【００４３】
また、上述したネットＮに、農地への人の出入りを許容する開閉自在な出入り口ＮＥを設けて、開状態の出入り口ＮＥを介して、農地１内へ入って、農地作業を行うことができるようにしている。 出入り口ＮＥを出入りした後は、出入り口ＮＥは閉じられるようになっている。例えば、図３は出入り口ＮＥが閉じられている状態、図４は出入り口ＮＥが開いている状態をそれぞれ示している。
出入り口ＮＥは、背面側ネットＮ１、右側面側ネットＮ２、左側面側ネットＮ３、正面側側ネットＮ４の何れでも良いが、本実施例では、例えば、右側面側ネットＮ２に出入り口ＮＥを設けている。
【００４４】
なお、上述した実施例においては、背面側ネットＮ１、右側面側ネットＮ２、左側面側ネットＮ３、正面側ネットＮ４と天井面側ネットＮ５とは、それぞれ、分離して設けたが、カバー４は、図５及び図６に示すように、ネットＮの両側面及び正面、即ち、右側面側ネットＮ２、左側面側ネットＮ３、正面側ネットＮ４に接続されると共に、昇降自在に設けられるようにしても良い。
カバー４を昇降自在に構成する手段としては、上述の実施例と同様、例えば、カバー４を吊り下げるロープ４１、４１’、このロープ４１、４１’の方向を変える滑車４２、４２’、ロープ４１、４１’を回転ハンドルまたは原動機の回転力を歯車装置などで減速して回転させるドラムでロープ４１、４１’を巻き取るウインチＷ、Ｗ’で行うようにしている。
ウインチＷ、Ｗ’を作動させ、カバー４を上昇させる。カバー４の上昇に伴い、図６に示すように、ネットＮの両側面Ｎ２、Ｎ３及び正面側ネットＮ４に、農地３への人の出入りを許容する空間である出入り口ＮＥが形成され、しかも、カバー４はネットＮの両側面Ｎ２、Ｎ３及び正面側ネットＮ４にゴルフボールが入る隙間がないように接続されるため、カバー４とネットＮとの両側面Ｎ２、Ｎ３及び正面側ネットＮ４との間にゴルフボールが入る隙間がないため、ゴルフボールが農地３に入るのを防ぐことができる。
【００４５】
なお、上述した実施例においては、ゴルフ練習場に適用したもので説明したが、本願発明は、これに限らず、複数の打席の前方にそれぞれ配置されて各打席めがけてボール（ボールは、野球にあっては、野球ボール、ソフトにあっては、ソフトボールである。）を投げる複数のピッチングマシン（図示せず）とを備えるたバッティングセンター（図示せず）にも同様に適用することができる。
【００４６】
即ち、図示しないバッティングセンターにあっては、上述したゴルフ練習場と同様に、ボールを打撃するための打撃側から見て、背面、両側面、正面、天井面をネットで覆うようにする。
場合により、ボールを打撃するための打撃側から見て、少なくとも、両側面、正面、背面をネットで覆うようにした図示しないバッティングセンターでも良い。
なお、図示しないバッティングセンターと上述した実施例のゴルフ練習場とは、ボールとゴルフボール、ピッチングマシン（図示せず）の有無を除けば、両者は同じであるため、構成については、上述の段落番号［００１４］〜［００２０］、作用効果については、上述の段落番号［００２９］〜［００３５］に記載し、上述した実施例のゴルフ練習場を図示しないバッティングセンターに援用して、その説明を省略する。
【符号の説明】
【００４７】
Ｇ      ゴルフ練習場
１      打撃台
３      農地
４      カバー
Ｎ      ネット
【要約】
【課題】
本発明の目的は、農地を利用したゴルフ練習場を提供するものである。
【解決手段】
ゴルフ練習場Ｇは、ゴルフボールを打撃するための打撃台１から見て、背面、両側面、正面、天井面をネットＮで覆ったゴルフ練習場Ｇであって、ネットＮ内の農地３の上方を横断すると共に、前記正面から前記打撃台に向かって張設したカバー４を設け、カバー４の下方を農地３、カバー４の上方をゴルフボールを打撃する空間として利用するものである。
【選択図】図２【図１】
0006011955.tif 000002
【図２】
0006011955.tif 000003
【図３】
0006011955.tif 000004
【図４】
0006011955.tif 000005
【図５】
0006011955.tif 000006
【図６】
0006011955.tif 000007